(57)【特許請求の範囲】
【請求項１】
表面に多数の針棒（２）が突出している円板ディスク（５）、および前記円板ディスク同士の間隔を維持するためのリテーナーで構成されるドラム（３）と、前記ドラムが軸（４）によって軸着されてローリングするようにする取っ手（Ｈ）とを含んでなる皮膚刺激器において、
前記ドラムの円板ディスク（５）は、外周面に多数の針棒（２）、表面に多数の結合孔（６）がそれぞれ設けられた金属板（７）を構成し、前記金属板（７）の中央及び外面を、外部へ突出する針棒（２）が埋設されるように補強樹脂物（１８）をインサートインジェクションモールドして成し、
前記補強樹脂物の中央には軸（４）が挿着される軸孔（９）を設け、前記リテーナー（１９）の両面には金属板の外面へ突出した補強樹脂物の厚さが挿入されるべき深さを持つように溝（２０）を凹設し、前記溝（２０）の縁の段差部（２１）には微細突起（２２）を均等な間隔で多数突設してなることを特徴とする、皮膚刺激器。
【請求項２】
前記微細突起（２２）は、内側端部に行くほど鋭くなるように構成されることを特徴とする、請求項１に記載の皮膚刺激器。
【請求項３】
前記微細突起（２２）は、３個〜８個が段差部（２１）に均等な間隔で設けられることを特徴とする、請求項１に記載の皮膚刺激器。
【発明の詳細な説明】
【技術分野】
【０００１】
本発明は、皮膚刺激器に係り、特に、外周縁に多数の針棒を有するドラムの円板ディスクと、円板ディスク同士の間隔を維持するためのリテーナとを簡単に揺れることなく密着させて固定することにより、皮膚から脱離する異物がドラムに入り込まず、針棒が皮膚に挿入されるときに皮膚に過度な損傷を与えないながら針棒の毀損を防止して長期間安定的に使用するようにした皮膚刺激器に関する。
【０００２】
また、本発明に使用される針棒は、断面円形ではなく少なくとも六角の角面に形成することにより、針棒が皮膚に挿入されるときに接する面積を最小化して痛みを最小化するようにしたものである。
【背景技術】
【０００３】
一般に、皮膚の老化、すなわち皺には、表皮の最下層である真皮層のコラーゲンが大きく関わっているものと知られている。
【０００４】
前記真皮層は０．７ｍｍ〜４ｍｍ程度の厚さに表皮より数倍厚い層で形成されているが、皮膚の老化は、前記真皮層内のコラーゲン量が益々減少しながら皮膚が乾くなり皺が増えることにより発生するのである。
【０００５】
したがって、皮膚の老化を遅めたり皮膚の皺を改善したりするためには、コラーゲンを持続的に補充し、或いは新しいコラーゲンを注入しなければならないが、従来では、コラーゲンの形成に必要なビタミンＣやペプチドなどの栄養分を皮膚に塗り付け或いは吹き付ける方式を主に使用した。
【０００６】
ところが、前述したようにビタミンＣやペプチドなどの栄養分を皮膚に塗り付け或いは吹き付ける方式は、栄養分の９９．７％が皮膚の最外郭角質層を通過せず皮膚上に残存して消滅することにより、残り０．３％のみが真皮層に浸透して使用される非効率的な問題点があった。
【０００７】
このため、上述した従来の問題点を解決するために、先鋭な針棒を用いて皮膚を刺激することにより、皮膚にマイクロチャネルを形成して皮膚の真皮層にコラーゲンの形成に必要な栄養分、たとえばビタミンＣやペプチドなどを供給し、或いは皮膚の真皮層にコラーゲンが効果的に再生を行えるようにする皮膚刺激器（別名：マイクロニードル）が提案されて使用されている。
【０００８】
前述した皮膚刺激器の例には韓国登録実用新案第２０−３９５３５９号（名称：マイクロニードルローラー）に開示されたものがあるが、これは、その公報（訂正公告）に記載されているように、少なくとも一つの円板ディスクを積層したローラーと、前記円板ディスクの内部または一面に設置された少なくとも一つのマイクロニードルとを含んでなるが、前記マイクロニードルはローラーの外面に突出するように設けられた構造を取っている。
【０００９】
このようなローラーのマイクロニードル（先鋭な針棒）を用いて皮膚を刺激することによりコラーゲンの生成および補充を誘導するようにすることは、次の理論を背景としている。
【００１０】
すなわち、先鋭な針棒を用いて皮膚を加圧することにより、皮膚組織に微細通路としてのマイクロチャネルを形成するようにするのである。
【００１１】
この際、針棒によって皮膚組織に微細傷が発生する場合、皮膚自体の自然治癒力により微細傷に新しい皮膚組織が生成されてより弾力のある皮膚として再誕生されるのである。
【００１２】
このように弾力のある皮膚は、傷付いた皮膚を治癒しようとする自然治癒力により皮膚再生に必須的なコラーゲンを再生するようにするので、コラーゲンの生成および補充を成し遂げることができる。
【００１３】
ところが、上述したように従来の皮膚刺激器は、構造上、次の問題点があった。
【００１４】
前記各針棒を円板ディスクの各溝に挿入するように設置することにより固定する構造になっているため、組立生産性が低下し、これにより製造コストが上昇する不経済的な問題点があった。
【００１５】
前記円板ディスクが互いに揺れることなく堅く密着固定されないことにより、皮膚刺激を効果的に行えるのはもとより、針棒の終端が破損するおそれが高く、この場合、破損した針棒の終端によって皮膚組織に大きい傷を生じさせるという問題点があった。
【００１６】
また、針棒は細長い円形の針棒を主に使用しているため、前記針棒を皮膚に挿入するときに人体の痛点を多く通過するので、痛みを辛く感じるという問題点があった。
【発明の概要】
【発明が解決しようとする課題】
【００１７】
本発明は、上述した従来の技術の問題点を解決するためになされたものである。
【００１８】
本発明の目的は、ドラムの円板ディスクを、外周面に多数の針棒を有する金属板に補強樹脂物を埋め込むようにインサートインジェクションモールドしてリテーナーと積層結合させる簡単な製造工程によって、製造生産性および経済性を極大化し、針棒が皮膚に挿入されるときに皮膚に過度な損傷を与えないながら針棒の毀損を防止して長期間安定的に使用できるようにすることにある。
【００１９】
また、本発明の目的は、ドラムの外周の針棒を断面円形ではなく少なくとも６角の角面に形成することにより、針棒が皮膚と接する面積を最小化し、皮膚挿入の際に痛みを最小化するようにすることにある。
【００２０】
また、本発明の目的は、ドラムの円板ディスクとリテーナーとを簡単に揺れることなく密着させて固定することにより、効果的な作動を実現し且つ各種異物のドラムへの入り込みを防止することにある。
【課題を解決するための手段】
【００２１】
本発明に係る皮膚刺激器は、表面に多数の針棒が突出している円板ディスク、および前記円板ディスク同士の間隔を維持するためのリテーナーで構成されるドラムと、前記ドラムが軸によって軸着されてローリングするようにする取っ手とを含み、前記ドラムの円板ディスクは、外周面に多数の針棒、表面に多数の結合孔がそれぞれ設けられた金属板を構成し、前記金属板の外周面を、外部へ突出する針棒が埋設されるように補強樹脂物をインサートインジェクションモールドして成し、前記補強樹脂物の中央には軸が挿着される軸孔を穿設し、前記リテーナーの両面には金属板の外面へ突出した補強樹脂物の厚さが挿入されるべき深さを持つように溝を凹設し、前記溝の縁の段差部には微細突起を均等な間隔で多数突設してなることを特徴とする。
【００２２】
本発明に係る前記ドラムの円板ディスクは、外周に均等に配列される針棒の両面の角部に傾斜面を少なくとも六角に形成することにより、針棒が皮膚と接する面積を最小化して皮膚への挿入の際に痛みを最小化するようにすることを特徴とする。
【００２３】
本発明に係る前記ドラムの円板ディスクの表面には多数の結合孔または固定溝を設け、前記リテーナーの両面には前記結合孔または固定溝に嵌合されるように突起を突設することにより、前記円板ディスクと前記リテーナーとが互いに揺れることなく密着固定されるように作動するので、作動が効果的であるうえ、各種異物の入り込みを防止することを特徴とする。
【図面の簡単な説明】
【００２４】
【図１】本発明の一実施例に係る皮膚刺激器を示す一部分解斜視図である。
【図２】図１の結合斜視図である。
【図３】図２の一部断面図である。
【図４】本発明の作動状態図である。
【図５】図２の一部断面図である。
【図６】本発明の他の実施例に係る皮膚刺激器を示す一部分解斜視図である。
【図７】図６の断面図である。
【図８】図６の円板ディスクを示す断面図である。
【図９】図８の部分拡大図である。
【図１０】本発明の別の実施例に係る皮膚刺激器を示す一部断面例示図である。
【図１１】図１０の円板ディスクを示す斜視図である。
【図１２】図１１の部分拡大図である。
【図１３】本発明の別の実施例に係る皮膚刺激器を示す一部断面例示図である。
【図１４】図１３の分解斜視図である。
【図１５】図１３の他の実施例を示す分解斜視図である。
【発明を実施するための形態】
【００２５】
以下に添付図面を参照しながら、本発明の好適な実施例に係る皮膚刺激器を詳細に説明する。
【００２６】
本発明の皮膚刺激器１は、図１〜図５に示すように、表面に多数の針棒２が突出しているドラム３と、前記ドラム３が軸４によって軸着されてローリングするようにする取っ手部Ｈとを含んでなる、皮膚を刺激するための皮膚刺激器において、前記ドラム３は、軸４で軸支される多数の円板ディスク５を含んでなるが、前記円板ディスク５は、外周面に多数の先鋭な針棒２、表面に多数の結合孔６がそれぞれ設けられた金属板７を構成し、前記金属板７の外周面を、外部へ突出する針棒２が埋設されるように補強樹脂物８をインサートインジェクションモールドして成し、前記補強樹脂物８の中央には前記軸４の外周面が挿着される軸孔９を設ける構造となっている。
【００２７】
すなわち、本発明の皮膚刺激器は、互いに異なる材質の金属板７と補強樹脂物８が成形されて互いに一体化されることにより、針棒２が補強樹脂物８から離脱または分離されることなく安定的に位置を維持するようになっているもので、インサートインジェクション射出成形(Insert injection Molding)工法で製造する。
【００２８】
したがって、前記金属板７の表面に設けられた結合孔６を介して補強樹脂物８の内部が埋め込まれるように成形されるため、結合力をさらに強固にすることができる。
【００２９】
前記円板ディスク５は、物理的圧力によって密着結合することが好ましいが、前記円板ディスク５を構成するそれぞれの補強樹脂物８を超音波融接によって互いに一体化させて使用してもよい。
【００３０】
また、図６〜図９に示すように、表面に多数の針棒２が突出しているドラム３と、前記ドラム３が軸４によって軸着されてローリングするようにする取っ手Ｈとを含んでなる、皮膚を刺激するための皮膚刺激器において、前記ドラム３は、軸４で軸支される多数の円板ディスク５を含んでなるが、前記円板ディスク５は、外周面に多数の先鋭な針棒２、表面に多数の結合孔６がそれぞれ設けられた金属板７を構成し、前記金属板７の外周面を、外部へ突出する針棒２が埋設されるように補強樹脂物１８をインサートインジェクションモールド成形し或いは熱融着成形して金属板と一体に結合させて成し、前記補強樹脂物１８の中央には前記軸４の外周面が挿着される軸孔９を設ける構造となっている。
【００３１】
前記円板ディスクと前記円板ディスクとの間にはこれらの間隔を維持するためのリテーナー１９が設置されるが、前記リテーナー１９の両面には金属板の外面へ突出する補強樹脂物の厚さが挿入されるべき深さを持つように溝２０を凹設し、前記２０の縁の段差部２１には先鋭な微細突起２２を均等な間隔で多数突設している。
【００３２】
この際、前記微細突起２２は、その個数が３個〜８個の範囲であることが好ましいが、全体として凸凹状に形成してもよい。
【００３３】
未説明符号「１３」は側板を示す。
【００３４】
次に、本発明の作動および作用について説明する。
【００３５】
使用者は、取っ手Ｈを手で把持した後、ドラム３が皮膚上でローリングされるように押したり引いたりして皮膚を加圧する。
【００３６】
すなわち、前記ドラム３が皮膚上でローリングされるように押したり引いたりする過程で、ドラムの針棒２が皮膚を刺激するのである。
【００３７】
この際、前記ドラム３が回動しながら皮膚の表面に沿って効果的に移動することにより皮膚刺激を行うことができる。
【００３８】
また、前記ドラムの円板ディスク５とリテーナー１９とが互いに揺れることなく密着固定されるため、針棒による皮膚刺激を効果的に行うのはもとより、針棒が皮膚に挿入されるときに皮膚に過度な損傷を与えないながら針棒の毀損を防止して長期間安定的に使用することができ、前記皮膚から脱落する各種異物のドラムへの入り込みを防止して清潔に使用することができる。
【００３９】
このように本発明の皮膚刺激器１によって刺激を受ける皮膚は、上述した理論的原理によってコラーゲンの生成および補充が円滑に行われて皮膚の健康を促進するのである。
【００４０】
また、本発明の皮膚刺激器１は、図１０〜図１２に示すように実施してもよいが、これは、表面に多数の針棒２が突出している円板ディスク５、および前記円板ディスク同士の間隔を維持するためのリテーナーで構成されるドラム３と、前記ドラムが軸４によって軸着されてローリングするようにする取っ手Ｈとを含んでなるが、前記円板ディスク５の外周に均等に配列される針棒２の両面の角部に傾斜面１００を形成して針棒２の先端部が少なくとも六角の角面を有するように構成される。
【００４１】
このような本発明の実施例に係る皮膚刺激器は、前述した実施例のものと同様に使用されるが、但し、針棒の先端部が皮膚に挿入されるとき、皮膚の復元力が、針棒２の先端部に設けられた少なくとも六角の角立った部分によって影響され、皮膚の痛点を通る面積を最小化することにより、痛みをより少なく感じるようにする。
【００４２】
また、本発明の皮膚刺激器１は、図１３〜図１５に示すように、表面に多数の針棒２が突出している円板ディスク５、および前記円板ディスク同士の間隔を維持するためのリテーナー１１９で構成されるドラム３と、前記ドラムが軸４によって軸着されてローリングするようにする取っ手Ｈとを含んでなるが、前記ドラム３の円板ディスク５の表面には多数の結合孔２０１または固定溝２０２を設け、前記リテーナー１１９の両面には前記結合孔または固定溝に嵌合されるように突起２００を突設してなる。
【００４３】
この際、前記突起２００の突出長さは、固定溝の場合には固定溝の深さに相当する長さにし、結合孔の場合には円板ディスク５の厚さに相当する長さにすることが好ましい。
【００４４】
このような本発明の実施例は、前述した実施例と同様に、取っ手Ｈを手で把持した後、ドラム３が皮膚上でローリングされるように押したり引いたりして皮膚を加圧するので、前記ドラムの針棒２が皮膚を刺激するのである。
【００４５】
この際、前記ドラムの円板ディスク５の結合孔２０１または固定溝２０２にリテーナー１１９の両面の突起２００が嵌合されて互いに間隔が開けないように使用されるので、前記ドラムの針棒２を皮膚に挿入するときにくっ付く皮膚の欠片または異物がドラムの円板ディスク５とリテーナー９との間に入り込まなくなり、これにより、従来とは異なり清潔な使用を保つことができる。
【産業上の利用可能性】
【００４６】
本発明の皮膚刺激器は、ドラムの円板ディスクを、外周面に多数の針棒を有する金属板に補強樹脂物を埋め込むようにインサートインジェクションモールドし、リテーナーと互いに揺れることなく密着固定されるように積層結合する簡単な製造工程によって、製造生産性および経済性を極大化し、皮膚刺激作動が効果的であるうえ、ドラムへの各種異物の入り込みを防止し、これにより細菌繁殖を防止するのはもとより、針棒が皮膚に挿入されるときに過度な損傷を与えないながら針棒の毀損を防止して長期間安定的に使用することができるという効果がある。
【００４７】
また、ドラムの外周の針棒を断面円形ではなく少なくとも６角の角面に形成することにより、針棒が皮膚に挿入されるときに皮膚と接する面積を最小化するので、痛みを最小化することができるという効果がある。
【符号の説明】
【００４８】
１：皮膚刺激器                 ２：針棒
３：ドラム                             ４：軸
５：円板ディスク                       ６：結合孔
７：金属板                             ８：補強樹脂物
１３：側板                             １８：補強樹脂物
１９、１１９：リテーナー               ２０：溝
２１：段差部                           ２２：微細突起
１００：傾斜面                 ２００：突起
【図１】
0005357257.tif 000002
【図２】
0005357257.tif 000003
【図３】
0005357257.tif 000004
【図４】
0005357257.tif 000005
【図５】
0005357257.tif 000006
【図６】
0005357257.tif 000007
【図７】
0005357257.tif 000008
【図８】
0005357257.tif 000009
【図９】
0005357257.tif 000010
【図１０】
0005357257.tif 000011
【図１１】
0005357257.tif 000012
【図１２】
0005357257.tif 000013
【図１３】
0005357257.tif 000014
【図１４】
0005357257.tif 000015
【図１５】
0005357257.tif 000016